(57)【特許請求の範囲】
【請求項１】
通信ネットワークにおいて、始点および終点を共通にする伝送パスをグルーピングし、パス毎にプライマリまたはセカンダリの優先属性を設定するグルーピング部と、
グループ毎に指定された帯域を確保する帯域確保部と、
各グループのプライマリの伝送パスにはグループ毎に指定された帯域を割り当て、複数のグループのセカンダリの伝送パスを共通の経路に割り当てておき、前記共通の経路に割り当てられた複数のセカンダリの伝送パスにはそれぞれのグループに指定された帯域の総和より小さい帯域を共用として割り当てる帯域割当部と、
プライマリの伝送パスに設定する転送優先度の設定に比較して、セカンダリの伝送パスに設定する転送優先度の設定を低くし、プライマリの伝送パスが使用不能になった場合に、同じグループに属するセカンダリの伝送パスの転送優先度の設定をプライマリの伝送パスの設定に合わせる転送優先度設定部と、
を備えることを特徴とする伝送パスの管理装置。
【請求項２】
前記グルーピング部は、伝送パスの上位レイヤ網が冗長経路を持つ場合、上位レイヤ網において冗長となる経路の複数の伝送パスが同じグループになるようにグルーピングする、
ことを特徴とする請求項１に記載の伝送パスの管理装置。
【請求項３】
伝送パスの管理装置による管理方法であって、
前記伝送パスの管理装置は、
通信ネットワークにおいて、始点および終点を共通にする伝送パスをグルーピングし、パス毎にプライマリまたはセカンダリの優先属性を設定し、
グループ毎に指定された帯域を確保し、
各グループのプライマリの伝送パスにはグループ毎に指定された帯域を割り当て、複数のグループのセカンダリの伝送パスを共通の経路に割り当てておき、前記共通の経路に割り当てられた複数のセカンダリの伝送パスにはそれぞれのグループに指定された帯域の総和より小さい帯域を共用として割り当て、
プライマリの伝送パスに設定する転送優先度の設定に比較して、セカンダリの伝送パスに設定する転送優先度の設定を低くし、プライマリの伝送パスが使用不能になった場合に、同じグループに属するセカンダリの伝送パスの転送優先度の設定をプライマリの伝送パスの設定に合わせる、
ことを特徴とする伝送パスの管理方法。
【請求項４】
伝送パスの上位レイヤ網が冗長経路を持つ場合、上位レイヤ網において冗長となる経路の複数の伝送パスが同じグループになるようにグルーピングする、
ことを特徴とする請求項３に記載の伝送パスの管理方法。
【発明の詳細な説明】
【技術分野】
【０００１】
本発明は、伝送パスの管理装置および管理方法に関する。
【背景技術】
【０００２】
通信ネットワークにおいてパスを設定する際に、パスが経由するリンク毎にパスに割り当てられた帯域（パス割り当て帯域）を確保することが一般的に行われている。帯域を確保するとは、リンク容量を超えない範囲で新たなパスをリンクに収容することである。帯域を確保する際には、リンクに既に収容されているパスのパス割り当て帯域の総和（リンク収容パス総帯域）に対し、これから収容しようとする新たなパスのパス割り当て帯域を加えた帯域がリンク容量を超えていないかどうか判定し、リンク容量を超えていない場合に新たなパスをリンクに収容すると共にリンク収容パス総帯域を更新する。一方、リンク容量を超えた場合には帯域を確保できないので、新たなパスはリンクに収容されない。
【０００３】
この通信ネットワークにおいて、障害の発生を考慮してパスを冗長化することが行われている。パスが現用パスと予備パスとで「１：１」または「１：Ｎ」で冗長化される場合、障害が発生してトラヒックが予備パスを迂回した場合のトラヒック疎通を担保するために、現用パスと予備パスとのそれぞれに対して、パス割り当て帯域を事前に確保する。
従来、１つのリンクに複数の予備パスが収容される場合に、リンクやノードの一重障害または支障移転に対するトラヒック疎通を担保しつつも予備パス用に確保する帯域を削減する「シェアードプロテクション手法」が知られている（非特許文献１参照）。
【０００４】
このシェアードプロテクション手法では、１つのリンクに収容される複数の予備パスに対して確保する帯域を、それぞれのパス割り当て帯域の総和とせずに、リンクやノードの一重障害または支障移転で同時に切替が発生する可能性のある複数のパスのパス割り当て帯域の総和の中の最大帯域とする。例えば、パス割り当て帯域が１Ｇｂｐｓでありリンクやノードの一重障害または支障移転で同時に切替が発生しない２本の予備パスに対して１Ｇｂｐｓの帯域を確保する。予備パスには通常時はトラヒックが流れず、いずれかの予備パスが新現用パスに切り替わった場合、新現用パスにのみトラヒックが流れるとすれば、１Ｇｂｐｓの帯域が確保されているためにトラヒック疎通は担保される。これによって、パス割り当て帯域の総和を予備パスに確保する場合に比べて、５０％の帯域削減効果を得ることができる。
【先行技術文献】
【非特許文献】
【０００５】
【非特許文献１】”Supporting Shared Mesh Protection in MPLS-TP Networks”、IETF draft (2012.10)
【発明の概要】
【発明が解決しようとする課題】
【０００６】
しかしながら、従来の手法では、通常時において予備パスにトラヒックが依然として流れないので、パス割り当て帯域の総和を予備パスに確保する場合に比べて帯域削減効果があるものの、予備パスに確保した帯域が依然として無駄になっているという問題があった。
【０００７】
なお、通信ネットワークにパスを設定する際に、異なる経路をとる複数のパスをグルーピングし、グループ単位に指定された帯域を確保することも行われている。これにより、確保した帯域を無駄なく使用することができる。ただし、この技術では、グループ内の一部のパスが使用不能になった場合に同一グループ内のパスに対して選択的にトラヒック疎通を担保することが考えられていないので、リンクやノードの一重障害または支障移転に対するトラヒック疎通を担保することができないという問題があった。
【０００８】
本発明は、前記問題に鑑みてなされたものであり、障害等によるトラヒック疎通を担保しつつも伝送パス用に確保する帯域をより削減することができる伝送パスの管理装置および管理方法を提供することを課題とする。
【課題を解決するための手段】
【０００９】
前記課題を解決するため、本発明に係る伝送パスの管理装置は、通信ネットワークにおいて、始点および終点を共通にする伝送パスをグルーピングし、パス毎にプライマリまたはセカンダリの優先属性を設定するグルーピング部と、グループ毎に指定された帯域を確保する帯域確保部と、各グループのプライマリの伝送パスにはグループ毎に指定された帯域を割り当て、複数のグループのセカンダリの伝送パスを共通の経路に割り当てておき、前記共通の経路に割り当てられた複数のセカンダリの伝送パスにはそれぞれのグループに指定された帯域の総和より小さい帯域を共用として割り当てる帯域割当部と、プライマリの伝送パスに設定する転送優先度の設定に比較して、セカンダリの伝送パスに設定する転送優先度の設定を低くし、プライマリの伝送パスが使用不能になった場合に、同じグループに属するセカンダリの伝送パスの転送優先度の設定をプライマリの伝送パスの設定に合わせる転送優先度設定部と、を備えることを特徴とする。
【００１０】
このようにすることで、本発明に係る伝送パスの管理装置は、プライマリの伝送パスに対しては、グループ毎に指定された帯域を割り当て、セカンダリの伝送パスに対しては、それぞれのグループに指定された帯域の総和より小さい帯域を共用として割り当てるので、グループ内に指定したプライマリの伝送パス以外のパスであるセカンダリの伝送パスが確保する帯域を削減できる。
また、本発明に係る伝送パスの管理装置は、プライマリの伝送パスが使用可能な場合には、セカンダリの伝送パスの転送優先度をプライマリの伝送パスの転送優先度と比較して低く設定し（例えば、低優先設定）、一方、プライマリの伝送パスが使用不能な場合には、プライマリの伝送パスと同じグループに属するセカンダリの伝送パスの転送優先度をプライマリの伝送パスの転送優先度と同じに設定する（例えば、低優先設定の解除）。それにより、共用で割り当てられた帯域を他のセカンダリの伝送パスに対して優先して使用してトラヒックが転送されるので、障害が発生したプライマリの伝送パスと同じグループの伝送パスのトラヒック疎通が担保される。
【００１１】
また、前記課題を解決するため、本発明に係る伝送パスの管理装置は、前記グルーピング部が、伝送パスの上位レイヤ網が冗長経路を持つ場合、上位レイヤ網において冗長となる経路の複数の伝送パスが同じグループになるようにグルーピングすることを特徴とする。
【００１２】
このようにすることで、本発明に係る伝送パスの管理装置は、冗長経路の何れかに障害等が発生した場合にでも、障害等が発生した経路に流れるトラヒックの疎通を確実に担保できる。その為、冗長経路を実現しながらも、予備側で確保する帯域を削減できる。
【発明の効果】
【００１３】
本発明に係る伝送パスの管理装置および管理方法によれば、障害等によるトラヒック疎通を担保しつつも伝送パス用に確保する帯域をより削減することができる。
【図面の簡単な説明】
【００１４】
【図１】実施形態に係る通信ネットワークを説明するための図であり、（ａ）は通信ネットワークの構成例であり、（ｂ）は通信ネットワークのトラヒックの構成例である。
【図２】実施形態に係る通信ネットワークにおける伝送パスおよび論理リンクの設定を説明するための図である。
【図３】実施形態に係る通信ネットワークを構成する装置を説明するための図であり、（ａ）は通信端点の機能構成図であり、（ｂ）はルータの機能構成図であり、（ｃ）は伝送装置の機能構成図である。
【図４】実施形態に係る通信ネットワークを構成する伝送ＮＷ管理装置の機能構成図である。
【図５】実施形態に係る伝送ＮＷ管理装置が保有する情報を説明するための図であり、（ａ）はグルーピングおよびプライマリ属性情報の内容を示し、（ｂ）はグループ確保帯域情報の内容を示し、（ｃ）は伝送パス割り当て帯域情報の内容を示し、（ｄ）は伝送パス割り当て転送優先度情報の内容を示す。
【図６】論理リンクに障害が発生した状態を説明するための図である。
【図７】論理リンクに障害が発生した後の伝送パス割り当て転送優先度情報の内容を示す図である。
【図８】通信ネットワークにおける送信側のトラヒックの流れを説明するシーケンス図である。
【図９】通信ネットワークにおける受信側のトラヒックの流れを説明するシーケンス図である。
【発明を実施するための形態】
【００１５】
［概要］
本発明では、通信ネットワークにおいて、異なる経路をとる複数の伝送パスをグルーピングし、グループ毎に指定された帯域を確保する。このグループ内の伝送パスには、プライマリパスとセカンダリパスとの何れかが指定されている。プライマリパスに指定された伝送パスに対しては、それぞれ単独の帯域を割り当て、一方、セカンダリパスに指定された伝送パスに対しては、複数の伝送パスで共用する帯域を割り当てる。
【００１６】
プライマリパスが使用可能な場合には、セカンダリパスの転送優先度をプライマリパスの転送優先度と比較して低く設定し（例えば、低優先設定）、プライマリパスとセカンダリパスとの両方の経路を使ってトラヒックが転送される。一方、プライマリパスが使用不能な場合には、当該プライマリパスと同じグループに属するセカンダリパスの転送優先度をプライマリパスの転送優先度と同じに設定する（例えば、低優先設定の解除）。それにより、共用で割り当てられた帯域を他のセカンダリパスに対して優先して使用してトラヒックが転送される。
【００１７】
以下、本発明の実施するための形態を、適宜図面を参照しながら詳細に説明する。
なお、各図は、本発明を十分に理解できる程度に、概略的に示してあるに過ぎない。よって、本発明は、図示例のみに限定されるものではない。また、本実施形態では、本発明と直接的に関連しない構成や周知な構成については、説明を省略する場合がある。また、各図において、共通する構成要素や同様な構成要素については、同一の符号を付し、それらの重複する説明を省略する。
【００１８】
≪実施形態に係る通信ネットワークの構成≫
図１を参照して、実施形態に係る通信ネットワーク１について説明する。図１は、実施形態に係る通信ネットワーク１を説明するための図であり、（ａ）は通信ネットワーク１の構成例であり、（ｂ）は通信ネットワーク１のトラヒックの構成例である。
図１（ａ）に示す通信ネットワーク１は、通信端点２と、ルータ３と、伝送装置４と、伝送ＮＷ管理装置５とを備えて構成される。通信ネットワーク１には、伝送パスが物理網上に設定され、その伝送パスが上位のレイヤ（例えば、ＩＰレイヤ）では論理的なリンクを構成する。
【００１９】
本実施形態では、ＭＰＬＳ−ＴＰ（Multi Protocol Label Switching-Transport Profile）と呼ばれるパケット転送技術を用いたＭＰＬＳ−ＴＰパスが伝送パスとして設定されることを想定する。図１（ｂ）にＭＰＬＳ−ＴＰパスを流れるトラヒックの構成例を示す。このトラヒックの構成は、従来と同様であってよく、データにＩＰヘッダおよびＭＰＬＳ−ＴＰヘッダが付加されたものである。ＭＰＬＳ−ＴＰヘッダは、ラベル、ＴＣ（Traffic Class）フィールド等で構成されている。なお、図１（ａ）に示す通信ネットワーク１を構成する通信端点２、ルータ３および伝送装置４の配置や個数、並びに設定されるＭＰＬＳ−ＴＰパスのルートはあくまでも例示である。
【００２０】
図２を参照して、通信ネットワーク１のより具体的な構成を説明する。図２は、通信ネットワーク１における伝送パスおよび論理リンクの設定を説明するための図である。ここでは、６個の通信端点２1〜２6と、１４個のルータ３1〜３14と、８個の伝送装置４1〜４8とによって通信ネットワーク１が構成されている場合を想定して説明することにする。なお、ここでは、説明を簡単にするために、各伝送パスは、２個の伝送装置４を経由する場合を想定しているが、３個以上の伝送装置４を経由するようにしてもよい。図２では、伝送ＮＷ管理装置５の記載を省略している。
【００２１】
通信端点２1と通信端点２2間のトラヒックは、第１論理リンクと第４論理リンクの両方の経路を使って転送される。第１論理リンクは第１伝送パスにマッピングされており、第４論理リンクは第４伝送パスにマッピングされている。
【００２２】
また、通信端点２3と通信端点２4間のトラヒックは、第２論理リンクと第５論理リンクの両方の経路を使って転送される。第２論理リンクは第２伝送パスにマッピングされており、第５論理リンクは第５伝送パスにマッピングされている。
【００２３】
また、通信端点２5と通信端点２6間のトラヒックは、第３論理リンクと第６論理リンクの両方の経路を使って転送される。第３論理リンクは第３伝送パスにマッピングされており、第６論理リンクは第６伝送パスにマッピングされている。
【００２４】
次に、図３および図４を参照して、通信ネットワーク１を構成する各装置の機能について説明する。図３（ａ）は通信端点２の機能構成図であり、図３（ｂ）はルータ３の機能構成図であり、図３（ｃ）は伝送装置４の機能構成図である。図４は伝送ＮＷ管理装置５の機能構成図である。なお、ここでは、各装置の機能の概略のみを説明することにし、その詳細は後記する動作で説明する。
【００２５】
通信端点２は、通信の端点となる装置であり、例えば、ＰＣ（Personal Computer）である。通信端点２の制御部２１は、パケット送受信部２２を備える。制御部２１が備えるこの機能は、ＣＰＵ（Central Processing Unit）によるプログラム実行処理や、専用回路等により実現される。
パケット送受信部２２は、自身が送信側である場合に、データにＩＰヘッダ（図１（ｂ）参照）を付加したパケットを生成し、生成したパケットをルータ３に対してトラヒックとして送信する。また、パケット送受信部２２は、自身が受信側である場合に、ルータ３からトラヒックとしてのパケットを受け取り、受け取ったパケットからＩＰヘッダを除去してデータを取得する。
【００２６】
ルータ３は、ＩＰパケットの振り分けを行う装置である。ルータ３の制御部３１は、パケット転送部３２を備える。制御部３１が備えるこの機能は、ＣＰＵ（Central Processing Unit）によるプログラム実行処理や、専用回路等により実現される。
パケット転送部３２は、通信端点２、ルータ３、伝送装置４のいずれかからＩＰパケットを受信時に、ＩＰアドレスに基づいて転送先を決定し、パケットを送信する。これにより、ルータ３は、通信端点２、ルータ３、伝送装置４のいずれかに対してＩＰパケットを送信する。
【００２７】
伝送装置４は、高速の通信回線（例えば、光ファイバ）により他の伝送装置４に接続されており、例えば、長距離伝送用に信号増幅を行う。伝送装置４の制御部４１は、ＭＰＬＳ−ＴＰフレーム転送部４２を備える。制御部４１が備えるこの機能は、ＣＰＵ（Central Processing Unit）によるプログラム実行処理や、専用回路等により実現される。
ＭＰＬＳ−ＴＰフレーム転送部４２は、ＭＰＬＳ−ＴＰパスの端点である場合、ルータ３から受信したＩＰパケットにＭＰＬＳ−ＴＰヘッダ（図１（ｂ）参照）を付加し、他の伝送措置４から受信したＭＰＬＳ−ＴＰフレームからＭＰＬＳ−ＴＰヘッダを除去してルータ３に送信する。また、ＭＰＬＳ−ＴＰパスの端点あるいは中継点のいずれの場合も、ＭＰＬＳ−ＴＰヘッダ内のラベル（図１（ｂ）参照）を識別し、ラベルの内容に基づいて次の伝送装置４や受信側のルータ３にパケットを転送する。その際に、ＭＰＬＳ−ＴＰフレーム転送部４２は、ＭＰＬＳ−ＴＰヘッダ内のＴＣ（図１（ｂ）参照）を用いて、伝送パスにトラヒックを流す優先度合いを変更する。
【００２８】
図４に示す伝送ＮＷ管理装置５は、伝送パスを管理する装置である。伝送ＮＷ管理装置５は、各伝送装置４に通信可能に接続されている。
伝送ＮＷ管理装置５の記憶部５１には、グルーピングおよびプライマリ属性情報５１ａと、グループ確保帯域情報５１ｂと、伝送パス割り当て帯域情報５１ｃと、伝送パス割り当て転送優先度情報５１ｄとが記憶されている。また、伝送ＮＷ管理装置５の制御部５２は、グルーピング部５３と、帯域確保部５４と、帯域割当部５５と、転送優先度設定部５６と、転送優先度通知部５７とを備える。制御部５２が備えるこれらの機能は、ＣＰＵ（Central Processing Unit）によるプログラム実行処理や、専用回路等により実現される。
【００２９】
図５（ａ）を参照して、グルーピングおよびプライマリ属性情報５１ａについて説明する。グルーピングおよびプライマリ属性情報５１ａは、伝送パス番号と、グループ番号と、プライマリ属性とからなる。伝送パス番号は、伝送パスを識別するための情報であり、ここでは数字で表されている。グループ番号は、複数の伝送パスをグルーピングしたグループを識別するための情報であり、ここでは英字で表されている。プライマリ属性は、伝送パスがプライマリパスであるか、またはセカンダリパスであるかを識別するための情報である。
【００３０】
ここでは、第１伝送パスと第４伝送パスとをグルーピングして、そのグループ番号を「Ａ」としている。また、第２伝送パスと第５伝送パスとをグルーピングして、そのグループ番号を「Ｂ」としている。また、第３伝送パスと第６伝送パスとをグルーピングして、そのグループ番号を「Ｃ」としている。そして、第１伝送パス〜第３伝送パスをプライマリに指定し、それ以外である第４伝送パス〜第６伝送パスをセカンダリに指定している。
【００３１】
図５（ｂ）を参照して、グループ確保帯域情報５１ｂについて説明する。グループ確保帯域情報５１ｂは、グループ番号と、確保帯域とからなる。グループ番号は、グルーピングおよびプライマリ属性情報５１ａで説明した通りであり、複数の伝送パスをグルーピングしたグループを識別するための情報である。また、確保帯域は、各グループに対して確保する帯域を示す情報である。ここでは、グループＡ，Ｂ，Ｃのそれぞれに対して１０Ｇｂｐｓの帯域を確保している。
【００３２】
図５（ｃ）を参照して、伝送パス割り当て帯域情報５１ｃについて説明する。伝送パス割り当て帯域情報５１ｃは、伝送パス番号と、帯域とからなる。伝送パス番号は、グルーピングおよびプライマリ属性情報５１ａで説明した通りであり、伝送パスを識別するための情報である。帯域は、伝送パスに対して割り当てられる帯域を示す情報である。
【００３３】
ここでは、プライマリである第１伝送パス〜第３伝送パスへはそれぞれ１０Ｇｂｐｓの帯域が割り当てられており、セカンダリである第４伝送パス〜第６伝送パスへは合計で１０Ｇｂｐｓの帯域が割り当てられている。つまり、セカンダリである第４伝送パス〜第６伝送パスでは帯域を共用しており、これにより、図２に示す伝送装置４7と伝送装置４8との間で確保する帯域を３０Ｇｂｐｓから１０Ｇｂｐｓに削減する。
【００３４】
図５（ｄ）を参照して、伝送パス割り当て転送優先度情報５１ｄについて説明する。伝送パス割り当て転送優先度情報５１ｄは、伝送パス番号と、転送優先度とからなる。伝送パス番号は、グルーピングおよびプライマリ属性情報５１ａで説明した通りであり、伝送パスを識別するための情報である。転送優先度は、伝送パスにトラヒックを流す優先度合いを示す情報である。この転送優先度は、伝送ＮＷ管理装置５から各伝送装置４に通知され、例えばＭＰＬＳ−ＴＰヘッダのＴＣフィールドに伝送装置４によって書き込まれる。セカンダリパスの転送優先度は、プライマリパスの転送優先度に対して低く設定する。ここでは、プライマリである第１伝送パス〜第３伝送パスへの転送優先度は「設定なし」であり、セカンダリである第４伝送パス〜第６伝送パスへの転送優先度は「低優先」に設定されている。なお、プライマリである第１伝送パス〜第３伝送パスへの転送優先度を「高優先」に設定し、セカンダリである第４伝送パス〜第６伝送パスへの転送優先度を「設定なし」または「低優先」に設定してもよい。
【００３５】
次に、図４に戻って、伝送ＮＷ管理装置５の説明を続ける。
グルーピング部５３は、異なる経路をとる複数の伝送パスをグルーピングし、伝送パス毎にプライマリまたはセカンダリの優先属性を設定するものである。グルーピング部５３によりグルーピングされたグループの情報および優先属性は、グルーピングおよびプライマリ属性情報５１ａとして記憶部５１に記憶される。
【００３６】
帯域確保部５４は、グループ毎に指定された帯域を確保する。帯域確保部５４により確保された帯域の情報は、グループ確保帯域情報５１ｂとして記憶部５１に記憶される。
帯域割当部５５は、プライマリの伝送パスに対してグループ毎に指定された帯域を割り当て、セカンダリの伝送パスに対してそれぞれのグループに指定された帯域の総和より小さい帯域を共用として割り当てる。帯域割当部５５により割り当てられた帯域の情報は、伝送パス割り当て帯域情報５１ｃとして記憶部５１に記憶される。
【００３７】
転送優先度設定部５６は、伝送パスに設定する転送優先度の制御を行う。ここでの転送優先度設定部５６は、プライマリの伝送パスには転送優先度を設定せず、セカンダリの伝送パスには転送優先度を低優先に設定し、プライマリの伝送パスが故障した場合には同じグループに属するセカンダリの伝送パスの低優先度設定の解除を行うことにする。転送優先度設定部５６により設定された転送優先度の情報は、伝送パス割り当て転送優先度情報５１ｄとして記憶部５１に記憶される。
【００３８】
例えば、図２に示す通信ネットワーク１において、図５（ｄ）に示す転送優先度情報５１ｄのように転送優先度設定部５６が伝送パスに転送優先度を設定していた場合に、第１論理リンクに障害（故障）が発生し、第１論理リンクが使用不能になったとする（図６参照）。その場合に、転送優先度設定部５６は、グルーピングおよびプライマリ属性情報５１ａを参照して、第１論理リンクがマッピングされた第１伝送パスが属するグループＡのセカンダリパスが第４伝送パスであることを取得する。そして、転送優先度設定部５６は、第４伝送パスの転送優先度の「低優先」の設定を解除し、第４伝送パスの新たな転送優先度の情報を伝送パス割り当て転送優先度情報５１ｄに更新する（図７参照）。これにより、第４伝送パス〜第６伝送パスが共有している伝送装置４7〜伝送装置４8間のリンクにおいて、第４伝送パスに対して１０Ｇｂｐｓのトラヒック疎通が担保される。
【００３９】
転送優先度通知部５７は、転送優先度設定部５６により伝送パスに設定された転送優先度の情報（伝送パス割り当て転送優先度情報５１ｄ）を、各伝送パスに対応する伝送装置４に対して通知する。これにより、各伝送装置４は、自身の伝送パスに設定される転送優先度を認識できる。
【００４０】
≪実施形態に係る通信ネットワークの動作≫
図８および図９（適宜、図２ないし図４を参照）を参照して、通信ネットワーク１におけるトラヒックの流れを説明する。図８は送信側のトラヒックの流れを説明するシーケンス図であり、図９は受信側のトラヒックの流れを説明するシーケンス図である。ここでは、図２に示す通信端点２1から通信端点２2に流れるトラヒックに着目して説明を行うことにする。
【００４１】
なお、伝送ＮＷ管理装置５は、グルーピング部５３、帯域確保部５４および帯域割当部５５によって、伝送パスのグルーピングおよび優先属性の設定、グループ毎の帯域確保、および伝送パスの帯域確保を行い、これらの情報は予め記憶部５１に格納されているものとする。また、伝送ＮＷ管理装置５は、転送優先度設定部５６によって伝送パスに転送優先度の設定を行い、この情報は予め記憶部５１に格納されていると共に、転送優先度通知部５７によって、各伝送パスに対応する伝送装置４に事前に通知しているものとする。そして、各伝送装置４は、自身の伝送パスに設定される転送優先度を予め認識しているものとする。
【００４２】
＜通常時におけるトラヒックの流れについて＞
通信端点２1のパケット送受信部２２から送信されたパケットは、ルータ３9に到達する（ステップＳ１０）。ルータ３9のパケット転送部３２は、通信端点２1から受信したパケットのＩＰアドレスに基づき、ルータ３1およびルータ３7にパケット単位で振り分け、振り分けられたパケットはルータ３1，３7に到達する（ステップＳ２０）。ルータ３1のパケット転送部３２は、ルータ３9から受信したパケットを伝送装置４1に送信する（ステップＳ３０Ａ）。一方、ルータ３7のパケット転送部３２は、ルータ３9から受信したパケットを伝送装置４7に送信する（ステップＳ３０Ｂ）。
【００４３】
続いて、伝送装置４1のＭＰＬＳ−ＴＰフレーム転送部４２は、ルータ３1から受信したパケットにラベルを付与し（ステップＳ４０Ａ）、ラベル付きのパケットのＴＣフィールドに転送優先度（設定なし）を設定し（ステップＳ４５Ａ）、転送優先度（設定なし）を設定したパケットを伝送装置４2に送信する（ステップＳ５０Ａ）。伝送装置４1から伝送装置４2へのパケットの送信は、ラベルに基づいて行われる。一方、伝送装置４7のＭＰＬＳ−ＴＰフレーム転送部４２は、ルータ３7から受信したパケットにラベルを付与し（ステップＳ４０Ｂ）、ラベル付きのパケットのＴＣフィールドに転送優先度（低優先）を設定し（ステップＳ４５Ｂ）、転送優先度（低優先）を設定したパケットを伝送装置４8に送信する（ステップＳ５０Ｂ）。伝送装置４7から伝送装置４8へのパケットの送信についても、同様にラベルに基づいて行われる。
【００４４】
続いて、伝送装置４2のＭＰＬＳ−ＴＰフレーム転送部４２は、伝送装置４1から受信したパケットからラベルを除去し（ステップＳ６０Ａ）、パケットをルータ３2に送信する（ステップＳ７０Ａ）。一方、伝送装置４8のＭＰＬＳ−ＴＰフレーム転送部４２は、伝送装置４7から受信したパケットからラベルを除去し（ステップＳ６０Ｂ）、パケットをルータ３8に送信する（ステップＳ７０Ｂ）。
【００４５】
続いて、ルータ３2のパケット転送部３２は、伝送装置４2から受信したパケットを、ＩＰアドレスに基づいてルータ３12に送信する（ステップＳ８０）。一方、ルータ３8のパケット転送部３２は、伝送装置４8から受信したパケットをＩＰアドレスに基づいてルータ３12に送信する（ステップＳ８０）。ルータ３12のパケット転送部３２は、ルータ３2およびルータ３8から受信したパケットを、ＩＰアドレスに基づいて通信端点２2に送信する（ステップＳ９０）。以上で、通信ネットワーク１における、通常時のトラヒックの流れの説明を終了する。
【００４６】
＜障害発生時の処理について＞
図６に示すように、第１論理リンクに障害（故障）が発生し、第１論理リンクが使用不能になったとする。ここで、通信ネットワーク１では、第１論理リンクの障害をトリガにして、通信端点２1と通信端点２2間の通信経路が、第１論理リンク経由の経路から第４論理リンク経由の経路に切り替わることを前提とする。この通信経路の切り替えは特に限定されず、種々の方法で行うことが可能である。
【００４７】
伝送ＮＷ管理装置５の転送優先度設定部５６は、第１伝送パスの障害を検出する（ステップＳ２１０）と、障害検出処理を実施する（ステップＳ２２０）。具体的には、転送優先度設定部５６は、グルーピングおよびプライマリ属性情報５１ａを検索し、障害を検出した第１伝送パスと同じグループかつセカンダリ属性である第４伝送パスを求める。続いて、転送優先度設定部５６は、伝送パス割り当て転送優先度情報５１ｄにおいて、第４伝送パスの転送優先度を「低優先」から「設定なし」に変更する（図７参照）。
【００４８】
伝送ＮＷ管理装置５の転送優先度通知部５７は、伝送パス割り当て転送優先度情報５１ｄを変更した伝送パスに関連する伝送装置４7，４8に対して、新たな転送優先度を通知する（ステップＳ２３０）。伝送装置４7のＭＰＬＳ−ＴＰフレーム転送部４２は、伝送ＮＷ管理装置５からの通知に基づいて、自身が保有する第４伝送パスの転送優先度の情報を「低優先」から「設定なし」に変更する（ステップＳ２４０）。これにより、ＭＰＬＳ−ＴＰフレーム転送部４２は、これ以降に伝送装置４8に対して転送するパケットの転送優先度として「設定なし」を設定することになる。一方、伝送装置４8のＭＰＬＳ−ＴＰフレーム転送部４２についても、同様に自身が保有する第４伝送パスの転送優先度の情報を「低優先」から「設定なし」に変更する（ステップＳ２５０）。
【００４９】
障害が発生した後においては、通信端点２1のパケット送受信部２２から送信されたパケットは、ルータ３9に到達する（ステップＳ４１０）。ルータ３9のパケット転送部３２は、通信端点２1から受信したパケットのＩＰアドレスに基づきパケット単位で振り分け、振り分けられたパケットはルータ３7に到達する（ステップＳ４２０）。ルータ３7のパケット転送部３２は、ルータ３9から受信したパケットを伝送装置４7に送信する（ステップＳ４３０Ｂ）。
【００５０】
続いて、伝送装置４7のＭＰＬＳ−ＴＰフレーム転送部４２は、ルータ３7から受信したパケットにラベルを付与し（ステップＳ４４０Ｂ）、ＴＣフィールドに転送優先度（設定なし）を設定し（ステップＳ４４５Ｂ）、転送優先度（設定なし）を設定したパケットを伝送装置４8に送信する（ステップＳ４５０Ｂ）。伝送装置４7から伝送装置４8へのパケットの送信は、ラベルに基づいて行われる。なお、前記説明した通り、セカンダリである第４伝送パス〜第６伝送パスへは合計で１０Ｇｂｐｓの帯域が割り当てられているが、通信端点２3および通信端点２5から送信されたパケットの転送優先度には低優先が設定されているので、伝送装置４7から伝送装置４8へのパケットの送信が優先される。その為、通信端点２1から送信されたパケットの伝送が廃棄されることはない。
【００５１】
続いて、伝送装置４8のＭＰＬＳ−ＴＰフレーム転送部４２は、伝送装置４7から受信したパケットのラベルを除去し（ステップＳ４６０Ｂ）、パケットをルータ３8に送信する（ステップＳ４７０Ｂ）。ルータ３8のパケット転送部３２は、伝送装置４8から受信したパケットをＩＰアドレスに基づいてルータ３12に送信する（ステップＳ４８０）。ルータ３12のパケット転送部３２は、ルータ３8から受信したパケットを、ＩＰアドレスに基づいて通信端点２2に送信する（ステップＳ４９０）。以上で、通信ネットワーク１における、障害発生後のトラヒックの流れの説明を終了する。
【００５２】
以上のように、実施形態に係る伝送ＮＷ管理装置５は、異なる経路をとる複数の伝送パスをグルーピングし（図５（ａ）参照）、グループ毎に指定された帯域を確保する（図５（ｂ）参照）。このグループ内の伝送パスには、プライマリパスとセカンダリパスとの何れかが指定されている（図５（ａ）参照）。プライマリパスに対しては、グループ毎に指定された帯域を割り当て、セカンダリパスに対しては、それぞれのグループに指定された帯域の総和より小さい帯域を共用として割り当てる（図５（ｃ）参照）。これにより、グループ内に指定したプライマリパス以外のパスであるセカンダリパスが確保する帯域を削減できる。
【００５３】
また、実施形態に係る伝送ＮＷ管理装置は、プライマリパスが使用可能な場合には、セカンダリパスの転送優先度をプライマリパスの転送優先度と比較して低く設定する（例えば、低優先設定）。一方、プライマリパスが使用不能な場合には、プライマリパスと同じグループに属するセカンダリパスの転送優先度をプライマリパスの転送優先度と同じに設定する（例えば、低優先設定の解除）。それにより、共用で割り当てられた帯域を他のセカンダリパスに対して優先して使用してトラヒックが転送されるので、障害が発生したプライマリパスと同じグループの伝送パスのトラヒック疎通が担保される。
【００５４】
［変形例］
以上、本発明の実施形態について説明したが、本発明はこれに限定されるものではなく、特許請求の範囲の趣旨を変えない範囲で実施することができる。実施形態の変形例を以下に示す。
【００５５】
実施形態の通信ネットワーク１では、伝送パス（例えば、ＭＰＬＳ−ＴＰパス）が物理網上に設定され、その伝送パスが上位のレイヤ（ＩＰレイヤ）では論理的なリンクを構成していた。しかしながら、通信ネットワーク１の構成はこれに限定されるものではない。例えば、上位のレイヤとして、ＩＰレイヤ以外に、ＭＰＬＳ，Ｅｔｈｅｒｎｅｔ（登録商標）等が用いられ、上位レイヤ網が経路冗長されている場合に、上位レイヤ網において経路冗長となる複数の伝送パスが同じグループになるようにグルーピングすることが可能である。
【００５６】
また、本発明で用いた転送優先度の他に、トラヒックフローやパスに他の優先度を付与している場合は、それらの他の優先度と本発明で用いる転送優先度を組み合わせて利用してよい。その場合、送信側の伝送装置４でＴＣフィールドに設定されている他の優先度を本発明の転送優先度に書き換えて、受信側の伝送装置４でＴＣフィールドに設定される値を本発明の転送優先度から他の優先度に戻すようにしてもよい。
また、本発明で用いた転送優先度をＴＣフィールド以外に設定するようにしてもよい。例えば、本発明で用いた転送優先度をラベルの一部の領域に設定するようにすることも可能である。
【符号の説明】
【００５７】
１      通信ネットワーク
２      通信端点
３      ルータ
４      伝送装置
５      伝送ＮＷ管理装置（管理装置）
５１ａ  グルーピングおよびプライマリ属性情報
５１ｂ  グループ確保帯域情報
５１ｃ  伝送パス割り当て帯域情報
５１ｄ  伝送パス割り当て転送優先度情報
５３    グルーピング部
５４    帯域確保部
５５    帯域割当部
５６    転送優先度設定部
５７    転送優先度通知部
【図１】
0006393247.tif 000002
【図２】
0006393247.tif 000003
【図３】
0006393247.tif 000004
【図４】
0006393247.tif 000005
【図５】
0006393247.tif 000006
【図６】
0006393247.tif 000007
【図７】
0006393247.tif 000008
【図８】
0006393247.tif 000009
【図９】
0006393247.tif 000010